(57)【要約】要約書なし。【特許請求の範囲】
【請求項１】
組織の上に配置される第１の表面を有するデバイスと、
パッチに固着され、第１の表面を介して約９０分またはそれ以下の期間にわたり約９．５Ｊ／ｃｍ2またはそれ以下の光エネルギーを送るように構成された発光部材とより成る装置。
【請求項２】
デバイスは第１の表面上の接着剤を含む請求項１の装置。
【請求項３】
デバイスは組織の形状に実質的に一致する柔軟な構造を有する請求項１の装置。
【請求項４】
発光部材は化学発光光源を有する請求項１の装置。
【請求項５】
デバイスは第１の表面の方へ光を反射する反射表面を有する請求項１の装置。
【請求項６】
光増感剤を組織に適用し、
光増感剤を約９．５Ｊ／ｃｍ2またはそれ以下のエネルギーの光で照射するステップより成る方法。
【請求項７】
照射ステップは化学発光パッチを組織に適用するステップを含む請求項５の方法。
【請求項８】
光増感剤を適用し、照射する前約９０分またはそれ以下の時間の間組織を閉塞する請求項５の方法。
【請求項９】
照射ステップでは約９０分またはそれ以下の時間照射される請求項５の方法。
【請求項１０】
光増感剤を組織の領域に適用し、
その領域を約９０分またはそれ以下の時間の間閉塞し、
その領域に約９０分またはそれ以下の時間の間光を照射するステップより成る方法。
【請求項１１】
その領域は約４５分ないし約９０分の間閉塞される請求項１０の方法。
【請求項１２】
その領域は約４０分乃至約９０分の間照射される請求項１０の方法。
【請求項１３】
歯に嵌合する形状の空洞を有する歯科トレイと、
歯科トレイを歯の上に適用するとその歯の上に光を放出するよう配置された空洞内の発光材料とより成る装置。
【請求項１４】
発光材料に近接する反射表面をさらに備えた請求項１３の装置。
【請求項１５】
発光材料が歯科トレイの予め選択された部分の上に位置する請求項１３の装置。
【請求項１６】
発光材料は化学発光光源を有する請求項１３の装置。
【請求項１７】
発光材料は青色光を放出する請求項１３の装置。
【請求項１８】
発光材料は赤色光を放出する請求項１３の装置。
【請求項１９】
発光材料は白色光を放出する請求項１３の装置。
【請求項２０】
歯科トレイは過酸化水素材料を保持するように構成されている請求項１３の装置。
【請求項２１】
歯の上に適用され過酸化水素材料を保持する歯科トレイと、
歯科トレイ内に位置し過酸化水素材料に照明するよう配置された光源とより成る装置。
【請求項２２】
光源は約２０分の活性寿命を有する一時的光源である請求項２１の装置。
【請求項２３】
発光材料は青色光を放出する請求項２１の装置。
【請求項２４】
発光材料は赤色光を放出する請求項２１の装置。
【請求項２５】
発光材料は白色光を放出する請求項２１の装置。
【請求項２６】
光源は歯科トレイに一時的に固着されるように構成された化学発光パッチを有する請求項２１の装置。
【請求項２７】
過酸化水素を１またはそれ以上の歯に適用し、
歯科トレイを歯の上に配置し、
歯に歯科トレイ内の光源からの光を照射するステップより成る方法。
【請求項２８】
過酸化水素は過酸化水素ゲルである請求項２７の方法。
【請求項２９】
歯は約２０分乃至約６０分の間照射される請求項２７の方法。
【請求項３０】
光源は青色光である請求項２７の方法。
【請求項３１】
過酸化水素を光源による発熱反応で加熱するステップをさらに含む請求項２７の方法。
【請求項３２】
少なくとも一部が透明で、組織の上に配置するように構成された第１の表面を有するデバイスと、
デバイス内にあって、少なくとも一部が透明な表面を介して光を放出する化学発光光源と、
デバイス内にあって、化学発光光源からの光の流れを妨げる１またはそれ以上のバッフルとより成る装置。
【請求項３３】
デバイスは弁を有する請求項３２の装置。
【請求項３４】
光源は青色光を放出する請求項３２の装置。
【請求項３５】
光源は赤色光を放出する請求項３２の装置。
【請求項３６】
光源は黄色光を放出する請求項３２の装置。
【請求項３７】
少なくとも一部が透明な第１の表面、第２の表面、及び第１と第２の表面の間の少なくとも１つのチェンバを有するフェイスマスクと、
チェンバ内に位置する化学発光光源とより成る装置。
【請求項３８】
フェイスマスクは、化学発光光源からの光の流れを妨げるための複数のバッフルを有する請求項３７の装置。
【請求項３９】
フェイスマスクは弁を有する請求項３７の装置。
【請求項４０】
第２の表面は反射表面を含む請求項３７の装置。
【請求項４１】
にきびの治療方法であって、
発光容器をにきびを有する面に適用し、
所望量の光が照射されるまで発光容器からにきびへ光を送るステップより成るにきびの治療方法。
【請求項４２】
発光容器は化学発光光源を含むパッチである請求項４１の方法。
【請求項４３】
発光容器は化学発光光源を含むフェイスマスクである請求項４１の方法。
【請求項４４】
発光容器は青色光を放出する請求項４１の方法。
【請求項４５】
発光容器は赤色光を放出する請求項４１の方法。
【請求項４６】
発光容器は黄色光を放出する請求項４１の方法。
【請求項４７】
発光容器は約２０分乃至約９０分の間適用される請求項４１の方法。
【請求項４８】
光による老化防止治療を行う方法であって、
発光容器を光による老化の兆候がある皮膚の領域に直接適用し、
所望量の光が送られるまで発光容器からその領域へ光を送るステップより成る光による老化防止治療法。
【請求項４９】
発光容器は化学発光光源を含むパッチである請求項４８の方法。
【請求項５０】
発光容器は化学発光光源を含むフェイスマスクである請求項４８の方法。
【請求項５１】
発光容器は青色光を放出する請求項４８の方法。
【請求項５２】
発光容器は赤色光を放出する請求項４８の方法。
【請求項５３】
発光容器は黄色光を放出する請求項４８の方法。
【請求項５４】
発光容器は約２０分乃至約９０分の間適用される請求項４８の方法。
【請求項５５】
いぼの治療法であって、
発光容器をいぼのある領域に直接適用し、
所望量の光が送られるまで発光容器からその領域へ光を送るステップより成るいぼの治療法。
【請求項５６】
発光容器は化学発光光源を含むパッチである請求項５５の方法。
【請求項５７】
発光容器は青色光を放出する請求項５５の方法。
【請求項５８】
発光容器は赤色光を放出する請求項５５の方法。
【請求項５９】
発光容器は黄色光を放出する請求項５５の方法。
【請求項６０】
発光容器は青色光を放出する請求項５５の方法。
【請求項６１】
発光容器は該容器内の発熱反応による熱を放出する請求項５５の方法。
【請求項６２】
発光容器は約２０分乃至約９０分の間適用される請求項４８の方法。
【請求項６３】
脱毛方法であって、
発光容器を脱毛のターゲット領域に直接適用し、
所望量の光が送られるまで発光容器からその領域へ光を送るステップより成る脱毛方法。
【請求項６４】
発光容器は可視スペクトルの光を放出する請求項６３の方法。
【請求項６５】
発光容器は赤外光を放出する請求項６３の方法。
【請求項６６】
発光容器は化学発光光源を含むパッチである請求項６３の方法。
【請求項６７】
発光容器はさらに、その内部の発熱反応の結果としてその領域へ光を放出する請求項６３の方法。
【請求項６８】
炎症性皮膚疾患の治療方法であって、
炎症性皮膚疾患のある皮膚の領域に発光容器を直接適用し、
所望量の光が送られるまで発光容器からその領域へ光を送るステップより成る炎症性皮膚疾患の治療方法。
【請求項６９】
発光容器は可視スペクトルの光を放出する請求項６８の方法
【請求項７０】
発光容器は紫外光を放出する請求項６８の方法。
【請求項７１】
発光容器は化学発光光源を含むパッチである請求項６８の方法。
【請求項７２】
パッチは、疾患のない組織を露光せずに炎症性皮膚疾患のある皮膚領域を覆うような形状を有する請求項７１の方法。
【請求項７３】
傷の殺菌方法であって、
発光容器を傷のある領域に適用し、
所望量の光が送られるまで発光容器からその領域へ光を送るステップより成る傷の殺菌方法。
【請求項７４】
発光容器は可視スペクトルの光を放出する請求項７３の方法
【請求項７５】
発光容器は紫外光を放出する請求項７３の方法。
【請求項７６】
発光容器は化学発光光源を含むパッチである請求項７３の方法。
【請求項７７】
発光容器はさらに、バクテリアを殺す局所施用剤をさらに含む請求項７３の方法。
【請求項７８】
はん痕または刺青を治療する方法であって、
発光容器をはん痕または刺青のある領域に適用し、
所望量の光が送られるまで発光容器からその領域へ光を送るステップより成るはん痕または刺青の治療方法。
【請求項７９】
発光容器は紫外光を放出する請求項７８の方法。
【請求項８０】
発光容器は化学発光光源を含むパッチである請求項７８の方法。
【請求項８１】
自然界に存在する光増感作用を有する油を皮膚の領域に適用し、
発光容器をその領域に適用し、
所望量の光が送られるまで発光容器からその領域へ光を送るステップより成る方法。
【請求項８２】
自然界に存在する光増感作用を有する油は柑橘油を含む請求項８１の方法。
【請求項８３】
発光容器は化学発光光源を含むパッチを有する請求項８１の方法。
【発明の詳細な説明】
【技術分野】
【０００１】
本発明は、医療の分野に関し、さらに詳細には、発光現象による治療方法及び装置に関する。
【背景技術】
【０００２】
光療法により治るか治せる医学的状態が多数ある。これらには、にきび、乾癬、湿疹、いぼ、基底細胞及び扁平上皮細胞癌、ヘルペス、にきび、光損傷、白斑、潰瘍及び表在感染のような皮膚疾患だけでなく歯肉炎及び歯の変色のような歯科疾患が含まれるが、これらに限定されない。これら疾患の治療に用いられる発光デバイスは、紫外光ボックス、水銀アークランプ、キセノンアークランプ及び種々のレーザーにわたる。
【０００３】
組織が必要とする適正量の光を、正常の組織を露光しないで、絞って照射するのは容易でなく、実際は不可能なことが多い。これを行う方法の１つは、光ファイバを光源に結合し、治療を要する領域だけに光を集中させることであるが、これには時間がかかり、風変わりな形状の、または包旋状の領域には有効でない。
【発明の概要】
【０００４】
本発明のシステムは、皮膚または歯のような身体の部位を治療するために、身体の外表面に固着するか、それに隣接して保持するか、もしくはその上方に保持することが可能なパッチまたは包帯のような容器に治療用光エネルギーを取り込む思想であり。光は、特定の波長、エネルギーパルス持続時間を有するものとして特定し、治療を要する領域に特別に向けることができる。光容器は、活性局所施用剤、薬剤送達機構を含むように構成することが可能であり、治療効果を増進するために電気及び熱エネルギーを発生することができる。
【０００５】
本発明のシステムの一例は、身体の外表面に接着するか、それに隣接して配置できる、光エネルギー放出容器を作製するプロセスを包含する。このシステムは、パッチまたは包帯状部材と、特定の波長、強度及び露光持続時間を有する光源とより成る。種々の実施例において、光源は、低温光デバイスより成る光源、化学発光材料より成る光源、エレクトロルミネッセンス材料より成る光源、発光ダイオードより成る光源、発光ポリマーより成る光源が含まれる。光源は完全自蔵型かまたは外部電源を備えたものである。パッチまたは包帯は、皮膚または歯の治療領域に固定または適用するか、それに隣接して配置するように構成可能であり、ヒドロコロイド包帯、可撓性接着材料、成形自在ポリマー材料または可撓性撥水材料を含むことができる。
【０００６】
１つの局面として、光及び反射光を治療表面に向けるように反射表面を備えた包帯またはパッチを含む。１つの局面として、光治療効果を増進するために他の局所施用剤を含有する包帯またはパッチを含む。１つの局面として、局所施用剤を治療領域に駆動するための局所施用剤送達システムを含有する包帯またはパッチを含む。
【０００７】
包帯またはパッチは、生成物を治療領域に駆動するか、光エネルギーによる治療効果を増進できる電気または熱エネルギーを発生させることにより、治療領域に影響を与える電界を発生する能力を組み込むことができる。この包帯またはパッチは、光エネルギーによる治療効果を増進させる高温または低温反応のような熱反応を発生させる能力を備えることができる。
【０００８】
１つの局面では、歯の白色化または清浄化のための歯科トレイとして使用できるように特殊な形状に特注成形可能な歯磨きが提供される。
【０００９】
１つの局面では、接着剤、ストラップ、タイまたは任意タイプの結合手段の何れかにより適用可能なパッチまたは包帯が提供される。
【実施例】
【００１０】
以下の詳細な説明において、本願の一部であり、本発明の特定の実施例を例示する添付図面を参照する。これらの実施例は、当業者が本発明を実施できるように十分に詳しく記載されており、他の実施例も可能であって、本発明の範囲から逸脱することなく構造的な変形又は設計変更を行うことができることを理解されたい。従って、下記の詳細な説明は、限定的な意味に捉えるべきでなく、本発明の範囲は、頭書の特許請求の範囲と、かかる請求の範囲が享受すべき均等物の全範囲とだけによって画定される。
【００１１】
発光ダイオード、化学発光、及び発光棒及びフラッシュライトに使用される効率的エネルギー源のような多種多様な発光材料を用いることにより、本発明のシステムは、小さな光源を提供し、光エネルギーを治療を要する領域に一致させて治療領域に限定するために包帯またはパッチに光源を埋め込むものである。
【００１２】
局所施用パッチ及び包帯は、現在、傷ついた組織の治癒を促進するだけでなく薬物を作用させる目的で使用されている。活性成分をパッチまたは包帯中に結合するか、パッチまたは包帯をかかる成分の浸透を増加させるように構成することにより、治療デバイスが構成される。電流を発生させるために異なる極性の材料を用いたパッチはあるが、皮膚または歯の効果的治療のために十分な波長、強度及び持続時間を持つ光エネルギーを発生するように構成された包帯またはパッチがこれまでなかった。
【００１３】
現在の治療用光源は外部電源への接続が必要な高エネルギーレーザー及びアークランプを用いているが、他の低温光源の開発により、十分な光エネルギーを発生させる光源を治療領域に適用する方法と組み合わせると、皮膚または歯の疾患を治療できるようになっている。
【００１４】
かかる低温光源の１つは化学発光である。この技術は化学反応による発光を可能にする。幾つかの化学発光物質、luminal及びlucigeninはそれぞれ、１９２８年及び１９３５年に発見されている。これらに続いて１９６０年の初期に一連の有機可溶性化学発光物質が開発されている。Bollyky et al.の米国特許第３，５９７，３６２号に開示されたこれらの物質は、従来の水溶性化合物よりも効率が高い。
【００１５】
基本的に、これらの化学反応は、オキシラインエステルと過酸化水素の２つの成分と、有効な蛍光体とより成り、反応の制御を助けるために触媒を添加することができる。
【００１６】
蛍光化合物の例には、アントラセン、ベンズアントラセン、フェナントレン、ナフタセン、ペンタセン、ペリレン、ペリレン、ビオラントロンなど、及びそれらの置換構造を含む共役多環式芳香族化合物が含まれる。これら全ての典型的な置換基は、フェニル、低級アルキル（Ｃ1−Ｃ6）、クロロ、ブロモ、シアノ、アルコキシ（Ｃ1−Ｃ16）及び他の同様な置換基であり、これらは本発明で企図される光発生反応を妨げない。
【００１７】
一部の蛍光体として、９,１０−ビス（フェニルエチニル）アントラセン、１−メトキシ−９,１０−ビス（フェニルエチニル）アントラセン、ペリレン、１,５−ジクロロ９,１０−ビス（フェニルエチニル）アントラセン、ルブレン、モノクロロ及びジクロロ置換９,１０−ビス（フェニルエチニル）アントラセン、５,１２−ビス（フェニルエチニル）テトラセン、９,１０−ジフェニルアントラセン、及び１６,１７ジヘキシルオキシビオラントロンがある。
【００１８】
発生する化学発光の寿命及び強度は、（１）過酸化水素の反応速度を変化させる触媒を添加することにより、あるいは（２）過酸化水素の変種によるような、ある特定の調整剤を用いることにより調整することができる。その目的を達成する触媒には、本願の一部として引用するM.L. Bender, Chem. Revs., Vol. 60, p.53 (1960)に記載されたものが含まれる。また、反応速度または化学発光のレートを変化させる触媒としては、ともに本願の一部として引用する米国特許第３，７７５，３６６号の促進剤及び米国特許第３，６９１，０８５及び３，７０４，２３１号の減速剤が含まれる。過酸化水素の種類及び濃度の両方が調整の目的で重要である。
【００１９】
テストした触媒のうち、サルチル酸ナトリウム及び種々のサルチル酸テトラアルキルアンモニウムが最も広く用いられている。リチウムカルボン酸塩、特にサルチル酸リチウム、サルチル酸リチウム５−ｔ−ブチル、及びリチウム２−クロロベンゾアートは、低温過酸化水素／シュウ酸エステル／蛍光体化学発光システムの優れた触媒である。
【００２０】
上述したように、化学発光は、触媒及び蛍光体の存在下においてシュウ酸エステルと過酸化水素とを一緒に混合することにより発生される。通常は、長く続くグローを発生させるために過酸化物安定性を有する蛍光体が選択される。大抵の場合において、特定の着色光を発生させるために単一の蛍光体が用いられている。場合によっては、過酸化物中において本質的に等価な安定性を有する２またはそれ以上の蛍光体を混合して混合色を発生している。一例として、青色発光蛍光体を赤色発光蛍光体と混合してピンク色の光を発生させる。
【００２１】
上述した多数の蛍光体のうち、比較的少数の蛍光体がペルオキシシュウ酸化学発光により発光するが、これは、商業的に実現可能な製品を供給するに十分な過酸化物安定性を有する（５つのフェニルニチニルアントラセン、１つのビオラントロン、及び３つのペリレンジカーボオキシミド）。他の発光蛍光体も知られているが、それらは過酸化物安定性を持たず、歴史的に商用目的には使用されていない。化学発光についての他の詳細事項は、本願の一部として引用する米国特許第６，２６７，９１４号に記載されている。
【００２２】
別の低温光源として発光ダイオード（ＬＥＤ）がある。ＬＥＤは回路に接続されると発光する。半導体チップがＬＥＤの心臓部にあり、透明なまたは着色エポキシケースに取り囲まれている。その後、このチップを回路に接続する。ＬＥＤは、約１乃至４ボルトの比較的低い電圧で動作し、約１０乃至４０ミリアンペアの電流を流す。このチップは、２つの領域が接合により分離されたものである。ｐ領域は正の電荷が優勢であり、ｎ領域は負の電荷が優勢である。接合は、ｐとｎ領域の間の電子の流れにとって障壁として働く。半導体チップに十分な電圧が印加されて電流が流れ始めると、電子が接合を貫通してｐ領域に入る。電流が異なる物質の接合を横切ると、チップである固体結晶物質の内部で光が発生する。材料の組成により光の波長、従って、色が決まる。チップ内部で発生する光の約３０％は最も明るいＬＥＤから外に出る。半導体材料は屈折率が非常に大きいため、正方形のチップに構成されると多量の光をトラップすることができる。
【００２３】
有機半導体材料であるＬＥＰと、無機半導体であるＬＥＤとは同様な発光機構を有する。しかしながら、ＬＥＰからの光は液晶ディスプレイのようにパターン化することができる。ＬＥＰはまた、薄く、そして柔軟性を与えることができる。
【００２４】
ＰＰＶポリマーまたは誘導体は、最も有望なＬＥＰデバイスの活性層を形成する。ＰＰＶポリマーの化学的組成を変化させると、その物理的及び電気光学的特性が変化する。
【００２５】
一部のＬＥＰデバイスは陰極線管（平方メートル当たり約１００カンデラ）と同じような高い輝度にすることが可能であり、発光効率は１ワット当たり２乃至３ルーメンである。Cambridge Display Technologyによると、研究者は、ＬＥＰデバイスをパルスモードで動作させることにより熱劣化を伴わずに平方メートル当たり３００万カンデラの輝度を得ることに成功している。その会社による最近のＬＥＰデバイスの結果によると、青色及び緑色ＬＥＰの発光効率はそれぞれ１ワット当たり３ルーメン及び２１ルーメンである。さらに、Cambridge Display Technologyの報告によると、セイコーエプソン社との共同研究により、連続スペクトルカラーディスプレイに適当な共通のアーキテクチャー及び発光能力を有するデバイスを製造するための材料及びデバイス設計の改良が行われている。
【００２６】
これら小型パッケージで高エネルギーの光を効率的に発生できるが、これらの用途は、今日までおもちゃ、個人用緊急事態発生ビーコンや交通信号であった。皮膚または歯の疾患治療の目的で着用可能な光包帯を製造する試みはなかった。
【００２７】
光エネルギー発生装置の１つの実施例は、治療領域に固定するかそれに隣接保持可能なパッチまたは包帯の形態を有する。図５は、１つの実施例による発光パッチ５０を示す。このパッチは、ほとんど任意のサイズまたは形状に切り取ることができる可撓性または成形性を有する材料５２を含む。この材料は、例えば、ヒドロコロイド、可撓性材料、成形性材料、ポリマー材料、可撓性撥水材料などでよい。上述した発光表面５４をパッチ材料の表面に組み込む。接着剤５６をパッチの１またはそれ以上の領域に適用して、パッチを表面に一時的に適用できるようにする。反射表面５８を発光表面の一部の周りまたはその背後に形成して、光が治療表面に反射されるようにすることができる。反射表面５８はフォイルの表面または鏡面でよい。
【００２８】
図１３は、１つの実施例による発光デバイス１８０を示す。このデバイス１８０は、組織１８２の上に取り付けられる上述したパッチを含む。デバイス１８０は、上述したように、また以下に述べるように、透明な、または一部が透明な前面と、デバイス内の、またはそれに結合された発光物質または部材（図示せず）を有する。反射表面１８４はデバイスの裏面に組み込まれている。１つの実施例において、反射表面１８４は１またはそれ以上の曲面集束ミラー１８６を含むことができる。このような用途では、例えば、元の光が組織１８２の方に向いて発射され、一部が反射して集束反射ミラー１８６へ戻り、集束され増強されて組織の治療表面１８２に戻る。一部の実施例に、反射光が表面上の所望の点にまたは組織の深部に集束されるような形状の反射面を設けることができる。
【００２９】
他の実施例において、ミラー１８６は、鏡の表面に入射してその表面から出る光をフィルタリングするフィルター付きミラーを含むことができる。これにより、治療表面に反射して戻る光の望ましくない波長を選択的に除去することができる。これは、目標とされる発色段の吸収特性が最初の露光吸収後に変化する時、またその後露光を特定の波長または波長セットに集中させたい時に重要となることがある。この例として、酸素化された血管を光源またはレーザー光源で治療する時がある。血管に、５３２ｎｍまたは５７７−６００ｎｍのような（これらに限定されない）、酸素化された血液により優先的に吸収される適当な波長または波長セットの光を向けると、血液は部分的に、または全体的に変化して光を向けられた血管中の血液の一部が脱酸素状態となる。脱酸素状態の血液は、電磁スペクトルの赤外部分に吸収ピークがある酸素化状態の血液とは異なる吸収曲線を有する。従って、ミラー上またはそれに隣接してフィルターを用いることにより、１０６４ｎｍの光のような赤外領域の光の大きな部分を目標となる血管に反射して戻すことができる。
【００３０】
図１０は、１つの実施例による発光デバイス１００を示す。このデバイス１００は全部または一部が取り囲まれた容器でよく、少なくとも一方の面１０４が透明または部分的に透明であり一部の、即ちフィルタリングを受けた光だけを通す。遠隔の内側表面１０８のような１またはそれ以上の他の面には、光を透明な面１０４に向けるための反射表面１１０がある。このデバイス１００は、例えば、上述したような材料で形成できる。
【００３１】
容器１０２の内部には、染料１１６が液状活性化剤１１８により取り囲まれた密封袋状体１１４がある。一部の例では、活性化剤を容器内の透明な、または一部が不透明な「メッシュ」により定位置に部分的に保持しても良い。容器１０２に圧力を加えて内部の袋状態１１４を破裂させると、２つの材料１１６、１１８が混合されて光反応が開始される。面１０４は、容器を組織に一時的に固着するための接着剤１２０を含むことがある。容器１０２は、以下に述べるように、特定の用途に合致させるため任意のサイズまたは形状でよい。
【００３２】
図１１は、１つの実施例による発光デバイス１３０を示す。この発光デバイス１３０は、全て透明な材料で形成するとよい容器１３２を有する。一部の例において、容器１３２の側方端縁部は光を遮断し、上側及び下側表面は透明である。１つの使用例では、１またはそれ以上の容器１３２を治療表面１３０上に積み重ねることができる。治療表面に最も遠い一番上のデバイス１０２の裏側には、面積当たりの全光量を増幅するために反射表面１１０が設けられている。
【００３３】
図１２は、１つの実施例による発光デバイス１５０を示す。このデバイス１５０は、最初は空のチェンバ１５６を備えた容器１５２を有する。これらのチェンバ１５６は目板、バッフル、または障壁１６０により分離することができる。種々の実施例において、チェンバ１５６の間に開口１６４を設けて、流体が混合されだけでなく容器内でかなり均一な状態に保持されるようにすることができる。従って、この流体は最も低いレベルに沈まない。他の実施例では、チェンバ１６７のような１またはそれ以上のチェンバを混合が生じないように閉じることができる。
【００３４】
この実施例では、励起剤及び染料が１またはそれ以上の密封袋状体１６８に含まれており、これを押しつぶすと内容物がチェンバの１つの内部に放出される。チェンバ１５６を同時に、または異なる時点で充填することが可能であり、各容器を充填するための染料及び促進剤は同じ波長の光を発光するように同じにすることが可能であり、波長及びまたは活性化剤の任意の組み合わせにより露光速度を変えることができる。反応により幾分かのガスが発生するため、各容器には流体を内部に閉じ込めたまま余分なガスを放出させるための１またはそれ以上の弁１７０を設けてもよい。以下に述べるように、このタイプの容器は治療領域に一致させるようにマスクの形かまたは他の任意の形にすることができる。
【００３５】
他の実施例は任意タイプの発光容器を含むが、別の形態として子供の化学発光グロースティックまたは同様な設計の杖のような棒を含むことができる。
【００３６】
発光容器は、任意タイプの接着剤、ひも、結合剤、タイまたはラップを用いて身体の外部に固定するかまたはそれに隣接して保持することができる。
【００３７】
発光容器は、皮膚または歯のような人間または動物の身体の任意の外表面を治療するように設計されているが、それらに限定されない。
【００３８】
図１は、１つの実施例による発光デバイスまたは容器１０の斜視図である。この例の発光源１２は把持部１６のある手で持つ容器１４内にある。この容器は光エネルギーを短期間照射するために使用できる。この例は、バッテリーのようなオプションとしてのエネルギー源１８と、発光部材１２と、レンズ２０とを含み、治療表面に隣接する所に配置される発光端部２２がある。１またはそれ以上の光反射表面１７をデバイスに組み込むことができる。反射表面１７を発光端部２２の近くに配置して、光エネルギーを治療表面に反射させることができる。
【００３９】
図２は、１つの実施例による発光容器２４の斜視図を示す。この例は、デバイスの端部にある発光部材と、デバイス内部のオプションとしてのエネルギー源２５とを含む。１つの例には反射表面２６が含まれる。
【００４０】
使用実施例
歯の白色化
歯の外表面を白くするこれまでの方法は、過酸化水素混合物のような漂白剤を特注の歯型に家庭で繰り返し適用するが、漂白剤は数週間の間に毎夜歯に適用する。歯科医のオフィスでは、漂白剤を使用し、それを光により活性化させる迅速な方法がある。この材料は家庭での治療と同じ方式で適用されるが、その後、歯科医のオフィスでは各領域につき２０分の間光（通常は、青色光）が照射される。治療時間は全部で最大２時間である。
【００４１】
図３及び４は、１つの実施例に従って発光材料を組み込んだ歯科トレイ３０及び４０の例を示す。
【００４２】
図３は、歯科トレイ３０の平面図である。１つの実施例の歯科トレイ３０は、歯科トレイ３０を患者の上歯または下歯の上に嵌合できるような空洞３１を有するように成形される。発光材料３２は特注の歯科トレイ内に配置可能であり、この材料３２には光で活性化される漂白剤３３を充填することができる。光で活性化される材料３２は、歯に青色光を所望の時間の間一様に照射するために作られている。発光材料３２は上述した発光パッチ、デバイスまたは容器でよく、これを歯科トレイ３０内に一時的に配置することが可能である。トレイ３０は歯科医のオフィスで成形して定位置にセットできるが、その後、患者は帰宅して指定された時にそのデバイスを取り外すことができる。発光表面３２は、歯科トレイ全体か、トレイの選択した部分だけに延びることができる。反射表面３５は反射した光を歯に戻すために設けることができる。
【００４３】
幾つかの使用例において、過酸化水素またはカルバミドを歯に塗布するか、歯に隣接して適用される条片に含浸させることができる。その後、発光トレイ３５を歯の上に配置する。別の例では、過酸化水素またはカルバミドをトレイの空洞内に配置した後、トレイを歯に適用する。
【００４４】
種々の実施例において、使用する光エネルギーは青色光を含むことが可能であり、小さな発熱反応を発生させる材料を添加して、熱を放出させることによりＨ2Ｏ2またはカルバミド（さらに詳しくは、１％乃至３５％用いる）の温度を増加させて反応を加速させるが、髄質内温度が５℃より高く上昇しないように反応を加速過ぎないようにする。一部の実施例において、他の混合波長を用いて、治療を最適化できる。一部の実施例では、白色、赤色または青色光だけを用いるか、または波長を組み合わせて用いる。一部の実施例において、前癌及び癌治療部分の表１に示す光強度及び特性を有するデバイスを用いることができる。
【００４５】
図４は、口４２内に取り付けた歯科トレイ３０及び４０の例を示す。
【００４６】
実施例：
この数年の間、過酸化水素が単独で、そして光源と共に用いられて、汚れた歯を成功裏に白色化している。基本的には、２つの方法が使用されている。第１の方法は、低濃度の過酸化水素を、専門家が作製したマウスガードと共に、歯磨き、条片の中に、またはゲルとして使用する。これらは一般的に非常に安全で効果的であるが、所望の結果を得るのに２乃至４週間かかる。第２の方法は歯科医のオフィスで実施されるもので、高濃度の過酸化水素とレーザーまたは青色光を用いる。この処置方法では少なくとも１時間かかるが、歯肉を保護するために専門家はダムを形成する必要がある。この方法は、必要とされる装置と、歯科医のオフィスでの必要なスペースと時間とにより、非常に高コストなものである。この研究の目的は、使い捨て光源を用いる歯の白色化システムと、従来のBriteSmile方式(BiteSmile Inc., Walnut Creek, CA)とを比較することである。
【００４７】
方法：
研究１
普通に抜歯された臼歯を石膏ベースに取り付け、テスト前とテストの間、水和状態に維持した。歯をBriteSmile標準プロトコルで処理するか、あるいはBriteSmileのゲルで処理し青色光のパッチによる照射を行った（表１）。パッチは２０分のインターバルで取り替えた。ゲルを全ての歯から洗い落し、合計６０分の間２０分のインターバルで再適用した。他の例では、光パッチを２０乃至６０分あるいはそれ以上の時間の間定位置に配置し、新しい光パッチまたは容器を任意の時間に適用することができる。表は、Lumin shadeのガイドスケールを用いて治療前及び治療後の結果を示す。
研究２
普通に抜歯された臼歯をお茶とコーヒーに漬けた後、石膏ベースに取り付け、テストの前及びテストの間水和状態に維持した。それらの歯をBriteSmile標準プロトコルで処理するか、あるいはBriteSmileゲルで処理して青色光または白色光のパッチにより光を照射した（表１）。パッチを２０分のインターバルで取り替えた。ゲルを全ての歯から洗い落とし、合計６０分の治療の間２０分のインターバルで再適用した。他の例では、光パッチを２０乃至６０分またはそれ以上の間その定位置に放置し、新しい光パッチまたは容器を任意の時点で適用することが可能である。
表１
研究１
番号      ＴＸ                治療前        治療後
１      ＢＳ                Ａ３．２５      Ａ１．５
２      ＢＳ                Ａ３．５        Ａ２
３      Ｂｌｕｅ  ＬＰ      Ａ３            Ａ２
４      Ｂｌｕｅ  ＬＰ      Ａ３．５        Ａ２
７      Ｂｌｕｅ  ＬＰ      Ａ３．５        Ａ２
９      Ｃｏｎｔｒ．        Ａ３．５        Ａ３．５
研究２
番号      治療                治療前    治療後
１      BriteSmile            Ｄ４      Ａ２
２      BriteSmile            Ｄ４      Ａ２
３      漂白光照射なし        Ｄ４      Ｃ３
４      赤色光                Ｄ４      Ｃ６
５      赤色光                Ｄ４      Ｃ６
６      白色光                Ｄ４      Ｄ６
７      白色光                Ｄ４      Ｄ２
８      青色光                Ｄ４      Ｂ４
９      青色光                Ｄ４      Ｂ４
【００４８】
他の実施例において、約９．５Ｊ／ｃｍ2またはそれ以下の光エネルギーを約９０分またはそれ以下の期間にわたって歯に送ることができる。幾つかの実施例では、約７．０Ｊ／ｃｍ2またはそれ以下のエネルギー９０分またはそれ以下の期間にわたって送る。幾つかの実施例では、約５．０Ｊ／ｃｍ2またはそれ以下の光エネルギーを約９０分またはそれ以下の期間にわたって送る。幾つかの実施例では、約３．０Ｊ／ｃｍ2またはそれ以下の光エネルギーを約９０分またはそれ以下の期間にわたって送る。幾つかの実施例では、約２．０Ｊ／ｃｍ2またはそれ以下の光エネルギーを約９０分またはそれ以下の期間にわたって送る。一部の実施例では、発光デバイスは約０．６７乃至約１．８Ｊ／ｃｍ2の光でそれぞれ４０乃至９０分の期間にわたって露光することができる。一部の実施例では、露光を９０分の期間にわたって約６５ｍＪ／ｃｍ2乃至約１００ｍＪ／ｃｍ2の光で行うことができる。
他の実施例では、これら低光量の光源を用いる最適エネルギー及び最適照射レートは変更可能である。一部の例では、新しい光パッチを必要に応じて再び適用する。
【００４９】
にきびの治療
研究によると、にきびの原因となるバクテリアは青色光の露光に弱い。現在、にきび治療用の青色光源が幾つか存在する。この治療では、医師のオフィスにいながら青色光を治療領域に２０乃至３０分照射する。
【００５０】
図６は、にきびを治療するためにパッチ６０、６１、６２、６３、６４、６５のような発光デバイスを顔面６６に適用する例を示す。１つの実施例において、発光パッチ６０−６６は皮膚に接着させるかまたは皮膚の近くに保持する。これらのパッチは、青色光を指定の時間、指定のエネルギーで放出するように構成することができる。例えば、歯の白色化のための上述したエネルギー及び強度を有する発光デバイスを用いる。パッチは任意のサイズに作製するか、切断して、治療を要する領域に毎晩固着して病変治療のために所望量の光が照射されるようにできる。一部の実施例は、にきびの炎症部分を減らすために赤色光を用いる。他の混合波長を用いて治療を最適化することができる。例えば、一部の実施例は、Ｐにきびのコーポロポルフィリンの蛍光にマッチする、青色、赤色及び／または黄色の単独光またはそれらの組み合わせを用いる。幾つかの使用例は、パッチを一日に２回から１週間に２回、２０分乃至９０分の時間の間適用することができる。過酸化ベンゾイル、サリチル酸、フラジル、エリスロマイシン、クリンダマイシンなどのような局所施用剤をパッチに取り込むことが可能である。
【００５１】
１つの実施例において、発光フェイスマスクを用いて治療用の光を送ることができる。
【００５２】
図８及び９は、１つの実施例による発光マスク８０を示す。１つの実施例において、フェイスマスク８０は複数の空洞８２を備えているが、それらの中には染料及び励起剤のアンプル８３を種々の時点で導入することができる。化学反応により少量のガスが発生するため、ガスを放出するための１またはそれ以上の逃がし弁８４を設けることができる。１つの例では、ある特定の方向に１またはそれ以上のバッフル８６を配置して、液状染料がよく混ざり合い、マスクの底部に溜まらないようにすることができる。使用時には、マスクを着用位置に保持するためのストラップ９０、９２により顔面上に配置することができる。アンプル８３の組み合わせを、１またはそれ以上の空洞８２によりフェイスマスクに取り込むことが可能である。
【００５３】
図９は、マスク８０の側面斜視図を略示する。１つの実施例において、マスク８０は、種々の流体または同じ流体を別個のチェンバに保持できるように別個の積層チェンバ９４、９５、９６を含むことができる。前面の内側表面９３は反射面を持つことができる。マスクは目または口のための開口９７、９８を有する。
【００５４】
いぼの治療
人間の乳頭腫ウィルスは多量の可視光線に弱い。いぼの多くは種々の治療法に対して耐性がある。
【００５５】
１つの実施例において、本発明は、黄色または緑色光を発光し、所望の時間いぼに固着されるとその組織を破壊できる発光パッチのような発光デバイスに係る。幾つかの実施例において、発熱パッチを青色、赤色または赤外光と共に用いることができる。例えば、発熱層を、公知の態様でパッチに組み込むことができる。発熱層は、酸化可能な材料（例えば、酸化可能な金属粉末）と炭素または活性化炭素粉末との混合物を含むことができる。酸化可能な金属粉末の例として、鉄、アルミニウム、マグネシウム、亜鉛、及びそれらの混合物が含まれるが、それらに限定されない。熱を発生させるために本発明が利用可能な他の酸化材には、例えば、細かい粉末状の、酸化第１第２鉄、四酸化三鉛、四酸化三マン癌、粗銅酸化物、及び二酸化マン癌が含まれる。発熱層は電解質／塩も含む。電解質／塩は、ナトリウム、カリウム、リチウム、カルシウム、鉄、マグネシウム及びアルミニウムの塩を含むが、それらに限定されない。電解質の例は、ＮａＣｌ、ＫＣｌ、ＬｉＣｌ、ＣａＣｌ2、ＦｅＣｌ3、ＦｅＣｌ2、ＭｇＣｌ2、ＡｌＣｌ3、Ｎａ2ＳＯ4、Ｋ2ＳＯ4、Ｆｅ（ＳＯ4）3、ＦｅＳＯ4、ＭｇＳＯ4を含むが、それらに限定されない。
【００５６】
幾つかの使用例において、これらのパッチは毎日２回から毎週２回、２０分乃至９０分の時間の間適用することができる。幾つかの例では、９０分かそれより長い時間適用することができる。幾つかの実施例では、歯の白色化部分で上述したエネルギー及び強度を有するパッチを用いる。
【００５７】
前癌及び癌の治療
光線性角化症、基底細胞及び扁平上皮細胞癌のようなある特定の前癌及び癌は、光を利用した治療に敏感である。幾つかのモードの光エネルギー、例えばＸ線、水吸収性赤外線だけでなく可視光を局所施用アミノレブリン酸（ＡＬＡ）のような光増感剤と組み合わせて、これらの症状を治療することが行われている。
【００５８】
この実施例は、皮膚癌を治療するために単独であるいは光増感剤と組み合わせて用いるように可視光または赤外光を発生するように構成可能な光を利用したパッチにかかわる。現在、光線性角化症のような前癌症状を治療するために局所施用ＡＬＡと可視光線を使用する方法はＦＤＡにより承認されている。ＡＬＡは、可視光を照射する２４−４８時間前に治療領域に適用する。この実施例に示すデバイスは、ＡＬＡの適用後適当な時間の間治療領域に適用することにより正しい波長の正しい量の光エネルギーを送達して光増感剤を活性化するように構成することができる。
【００５９】
不要なヘヤ、いぼ及び乾癬を除去するような他の症状の治療に、このパッチを、ＡＬＡ、フォトフィリン、ローズベンガル、ライム、ベゴモット、セロリ油、または他の光増感剤のような光増感剤と共に用いることができる。
【００６０】
例
４７の光線性角化症を有する６人の被験者が治療のために選択された。治療前に写真が得られた。治療領域を２０％のＡＬＡでふき取り、４５−９０分の間閉塞状態に置いた。その後、光パッチを４０乃至９０分の間適用した。７２時間の間その領域を光から保護するようにとの指示が与えられた。病変がなくなったか、また術後の痛み及び副作用について１日、７日及び１４日後、並びに３ヶ月または６ヶ月後に患者の評価が行われた。
【００６１】
結果：患者は治療時には何の感覚もなかった。２乃至２４時間後に、患者には日焼けの感覚があり、それに関連して紅斑と表面のびらんが現れた。このびらんは２週間以内に治癒した。予備的なデータによると、最後の来診時病変の６８％が消滅していた。
【００６２】
結論：この予備研究により、ＡＬＡを短期間接触させ、新規な光パッチを用いたＰＤＴ治療後２ヶ月の来診時では、光線性角化症が完全に消えていたことがわかる。
【００６３】
光線性角化症は、太陽光線に過度に露出すると発生する悪性になる前の病変である。それは、太陽光線に露出した皮膚の上のざらざらしたうろこ状の白色、黄色、茶色または赤色の斑として現れる。米国人口の１５％以上にこれらの病変がある。これらの病変は、０．１乃至２０％の間であると知られている率で扁平上皮細胞癌腫（ＳＣＣ）に変質することがある。米国では、太陽光線により惹き起こされるＳＣＣが転移する危険性は約４％であり、２％は助からない。これらの数字により、大部分の人はこれらの前癌症状が発生したら治療することを勧告されている。
【００６４】
この予備研究は、光線性角化症の治療のために短い接触時間のＡＬＡと新規な低エネルギー光源とを用いる光動力作用により治療法を評価している。
【００６５】
光パッチの評価
角パッチについて、スペクトルシフトと時間の関係を測定した。パッチを、光の漏れないボックス内に配置し、光ファイバをそのパッチの上に直接配置して、分光計(Ocean Optics S2000, Ocean Optics)に繋いだ。パッチを活性化し、１０時間の間１０分のインターバルで読みを収集した。パッチの活性化前の暗レベルの読みを差し引くことにより、読みを補正した。
【００６６】
その後、直接法及び間接法の両方を用いて光の強度を時間に対して測定した。直接法では、活性化された光パッチをチョッパの前方の、光検出器（１ｃｍ2領域）から１３センチメートルの所に配置した。４時間の間１０分のインターバルで光出力の読みを収集した。各パッチの活性化前に暗レベルの読みを収集した。各カラーにつき合計３つのパッチをテストし、それらの値を平均した。光検出器の領域は１ｃｍ2であり、それ全体を照射した。
【００６７】
各曲線の下の領域をシミュレーションするために各スペクトルの最大カウント数に最大値の半分におけるその全幅（ＦＷＨＭ）を乗算することにより、「擬似パワー」の間接法で光出力を測定した。
【００６８】
臨床研究：
少なくとも１つの光線性角化症が顔面にあると臨床診断された被験者が、臨床皮膚科のやり方で選択された。インフォームドコンセントの後、各病変箇所をアルコールでふき取り、その後、２０％のＡＬＡ(Kerastick, DUSA Pharm. Wilmington, MA)で洗い落とした。その後、その領域を閉塞状態にした。４５乃至６０分の後、閉塞用包帯を取り外し、その領域を４０分乃至９０分の間上述した化学発光パッチで覆った。これらのパッチは青色光または白色光を発光した。被験者は太陽光線に当たらないようにして、１、４及び１２または２４週間後に来診するように言われた。治療前及びその後の来診毎に写真を撮られた。臨床検査も治療前及び各来診時に実施された。光線性角化症は完全に消散したかあるいは消散しないとして記録された。
【００６９】
結果：
Spectra Med (Providence RI)によりスペクトル出力を測定した。平均年齢７１歳（５４−８１）の６人の患者（男性５名、女性１名）が合計４７個の光線性角化症を持つものとして登録された（表２）。被験者は、治療の後及び治療後最初の２４時間の間、軽い刺痛または灼熱痛を経験した。この不快感は軽いものであり、痛み抑止剤を必要としなかった。治療後最初の４８時間の間に生じた表面の紅斑及び／またはただれは１乃至２週間の間残った。治療による有意な副作用またははん痕はなかった。臨床反応と、使用した着色光のＡＬＡ培養持続時間または露光時間との間には統計的に有意な違いは認められなかった。ただれは２週間以内に治癒した。４７個の病変のうちの３２個（６８％）が、１１乃至２８週間後の最後の来診時（平均１５．８週間）になくなった。
【００７０】
【表１】
2005520606.tif 000002
【表２】
2005520606.tif 000003
【００７１】
説明：
アミノレブリン酸（ＡＬＡ）と青色光を用いる光動力作用による治療法は、光線性角化症の治療法としてＦＤＡにより承認されている。局所施用ＡＬＡは、前癌細胞による優先的に吸収され、ヘモグロビン生合成経路を介して蛍光性分子プロトポルフィリンＩＸ（ＰｐＩＸ）に変換される。プロトポルフィリンＩＸは、特定波長の光で活性化されると酸素依存機構により蛍光を発する。この活性化により一重項状態の酸素が発生するが、これはさらに反応して過酸化物及びヒドロキシルラジカルを形成し、周りの細胞を殺す。
【００７２】
種々のＡＬＡ培養時間及び光パラメータを用いて光線性角化症をなくするＡＬＡ  ＰＤＴの効果を示す幾つかの研究がある。ＦＤＡにより承認されたシステムは、２０％のＡＬＡ溶液を適用し、照射前に１４乃至１８時間放置するものである。その後、その領域を青色光源(BLU-U Blue Light Photodynamic Therapy Illuminator, DUSA Pharm. Wilmington MA)に露光させるが、この青色光源は４１７±５ｎｍで１６分と４０秒にわたり１０ｊ／ｃｍ2の光を与えるように設計されている。このシステムを用いる臨床研究によると、８週間後の来診時に被験者の平均約６６％から病変が完全になくなっていることがわかっている。この治療により良好な結果が得られているが、この治療法は治療のために２回の訪問を必要とする不便なものであり、大きな苦痛を伴う場合がある。
【００７３】
この予備研究は、光線性角化症を短いＡＬＡ培養時間と小さい露光レートで治すことが可能であり、治癒までの時間は最小限に抑えられ、有意な不快感または悪影響がないことが示している。この研究では、ＡＬＡ培養時間として１１乃至１２時間でなくて閉塞状態の４５乃至６０分を用いている。このように培養時間が長いと蛍光にピーク特性が与えられることが分かっているが、他の研究は、局所施用ＡＬＡを投与した２乃至４時間後に皮膚のＰｐＩＸ濃度がかなり大きくなることを示す。
【００７４】
この研究における短い培養時間の間のＰｐＩＸの蓄積は、その領域が閉塞されているため大きくなっていたのかもしれない。もっとも、この研究に用いたパラメータでは臨床的に適当な大きさのＰｐＩＸ蛍光があったように思える。その大きさは培養時間を長くすれば増加できるが、これはこれらの病変をさらに有効な治癒につながる。この研究では、培養時間を長くすると（４０対６０分）有意に異なる効果が得られたことは示されていない。これは、評価される被験者の数が少ないことによるかもしれない。
【００７５】
エネルギーのこの減少にもかかわらず、小さい光量で臨床反応及び応答が見られた。この研究に用いた光パッチは、それぞれ４０乃至９０分の期間にわたり７３乃至９２ｍＪ／ｃｍ2の露光を与えた。これは、Dusaの光動力作用による治療システムにより１６分４０秒の期間にわたり与えられる１０Ｊ／ｃｍ2よりもかなり少ない。それは、光が長い露光時間にわたって送られ、光漂白の可能性が回避されたという事実によるかもしれない。ＡＬＡは活性化が０．３ｍＷ／ｃｍ2である時予想されるよりも５乃至１０倍青色光を吸収するため、赤色光で露光されると３ｍＷ／ｃｍ2のような低いエネルギーでＰｐＩＸの蛍光作用があることが示されている。さらに、露光時間も短くできるようにこれらの小光量の光を用いる場合の最適エネルギー及び最適光送達量をさらに調べるためにさらなる研究が進行中である。
【００７６】
幾つかの例では、約９．５Ｊ／ｃｍ2またはそれ以下の光エネルギーを約９０分またはそれ以下の期間のわたって送ることができる。幾つかの実施例では、約７．０Ｊ／ｃｍ2またはそれ以下のエネルギーを約９０分またはそれ以下の期間にわたって送る。幾つかの実施例では、約５．０Ｊ／ｃｍ2またはそれ以下のエネルギーを約９０分またはそれ以下の期間にわたって送る。幾つかの実施例では、約３．０Ｊ／ｃｍ2またはそれ以下のエネルギーを約９０分またはそれ以下の期間にわたって送る。幾つかの実施例では、約２．０Ｊ／ｃｍ2またはそれ以下のエネルギーを約９０分またはそれ以下の期間にわたって送る。幾つかの実施例では、その光パッチは４０乃至９０分の期間にわたり約０．６７乃至約１．８Ｊ／ｃｍ2の露光時間を与えることができる。幾つかの実施例では、露光は４０乃至９０分の期間にわたり約６５ｍＪ／ｃｍ2ないし約１００ｍＪ／ｃｍ2にすることができる。他の実施例では、小光量の光源を用いる最適エネルギー及び光送達量を変更することができる。一部の実施例では、新しい光パッチを２０−２５分毎に適用する。１つの実施例は、局所性増感剤の浸透を増加させるために角質層を最初にすり減らす。
【００７７】
光による老化防止
光による老化は、歴史的に、真皮の弾性変化、表皮の菲薄化、不規則な色素沈着及び拡張性血管の増加に特徴がある。現在、これらの兆候を処置するためのレーザーと高エネルギー光を用いた装置があるが、これらによると、表皮及び表面の真皮を取り除くために水をターゲットにするか、または望ましくない脈管構造及び色素に選択的にターゲットにすることにより真皮を削り取らずに損傷を与えることにより、皮膚の代謝バランスを新しい健康的な表皮及び真皮を作り出すようシフトさせることができる創傷応答を生ぜしめる。
【００７８】
１つの実施例において、上述したパッチまたはフェイスマスクを治療に用いることができる。１つの実施例において、光を用いるパッチを、単一波長または複数波長を発生させるように構成し、これらの波長の光をこれらの構造に当てて光により老化した皮膚を蘇生することができる。例えば、幾つかの実施例では青色光、赤色光、赤外光及び／または黄色光単独で、あるいは、それらを組み合わせて用いる。幾つかの実施例は、表皮成長因子及びケラチノサイト成長因子のような成長因子をパッチに含める。幾つかの実施例は、ビタミンＣ、窒素酸化物または過酸化物をパッチに取り込むことができる。幾つかの使用例では、パッチまたはフェイスマスクを毎日２回乃至毎週２回、２０分乃至９０分の持続時間の間適用することができる。幾つかの例では、パッチを９０分かそれ以上の間適用する。幾つかの実施例は、歯の白色化部分および前癌及び癌部分で上述したエネルギー及び光強度特性を含む。
【００７９】
光の補助による脱毛
この数年、レーザー及び光源を用いて望ましくないヘアの永久脱毛が行われている。これは主として、毛幹及び毛嚢中のメラニンにより吸収させる波長を用いて行われる。この色素をターゲットとすると、光の吸収により熱が発生し、この熱はしきい温度に達すると毛幹を破壊する。治療の間、パルス持続時間を制限し皮膚に対する冷却効果を生ぜしめることにより、深所の大きい毛幹及び毛嚢が選択的に損傷しても、表皮のような色素を含むより表層の構造を救うことができる。例えば、上述したような、光エネルギーを所与の時間フレーム内で送ることができる種々の活性化剤をパッチに添加することができる。
【００８０】
この実施例に述べるパッチは、毛嚢を選択的に損傷するために特定のパルス持続時間及びエネルギーの可視光及び／または赤外光を発生するように構成可能である。幾つかの実施例では、青色光、赤色光、赤外光及び／または黄色光単独で、またはそれらを組み合わせて用いる。
【００８１】
１つの例では、パッチを治療領域に特定の時間の間適用して必要な反応が得られるようにする。よい結果を得るために、例えば、上述した発熱性パッチを用いて組織を加熱することにより所望の反応を得、そして／または表面構造を保護するために所望の冷却効果を得るに必要な光の量を減少することができる。また、エルフォラチンのような光増感剤または毛成長遅延剤をパッチに組み合わせてよい結果を得ることができる。１つの例では、リポソマルメラニンを取り込む。図７は、１つの実施例に従って望ましくないヘアを除去するために腕７４の腋下７２に適用した発光パッチ７０を示す。幾つかの使用例では、パッチは毎日２回乃至毎週２回、２０乃至９０分の間適用することができる。幾つかの例では、パッチを９０分またはそれ以上の間適用する。幾つかの実施例は、歯の白色化部分および前癌及び癌部分で上述したエネルギー及び光強度特性を含む。
【００８２】
炎症性皮膚疾患の治療
乾癬及び湿疹のような炎症性皮膚疾患の多くは、光による治療法で成功裏に治療することが可能である。このタイプの治療法の問題点の１つは、病変のない組織を光による治療の影響下に置かずに病変のある組織だけをターゲットにするのが容易でないことである。
【００８３】
１つの実施例において、上述したパッチは治療に用いることができる。かかるパッチは紫外光、または青色光、赤色光及び／または黄色光のような可視光単独、またはそれらの組み合わせを発生するように構成可能である。パッチは、これらの炎症性疾患を治療できるだけでなく、疾患のある部分に合うように切り取って、その上に所望の時間の間配置することにより最適な効果を得ることができる。パッチはまた、例えば、コルチゾン、エリデル及びプロトピックのような治療結果を高める活性局所施用薬剤を含むように作ることができる。幾つかの実施例は、５フロロウラシルのような乾癬または過剰増殖疾患のための抗代謝剤を含む。幾つかの使用例では、パッチを毎日２回乃至毎週２回、２０分乃至９０分の持続時間の間適用することができる。幾つかの例では、パッチを９０分かそれ以上の間適用する。幾つかの実施例は、歯の白色化部分および前癌及び癌部分で上述したエネルギー及び光強度特性を含む。
【００８４】
傷の殺菌
バクテリア、カビ及びウィルス（単純ヘルペスのような）の多くは、光エネルギーに弱い。
【００８５】
１つの実施例において、上述したパッチのような発光デバイスを治療に用いることができる。かかるパッチは、紫外光、または青色光、赤色光及び／または黄色光のような可視光単独の、またはそれの組み合わせを発生するように構成可能である。この実施例に述べたパッチ及び包帯は、特定の微生物を殺す能力を最適化するために光エネルギーを単独で発生するか、または電気熱エネルギーまたは局所施用剤（バシトラシン、バクトロバンなどのような）と組み合わせるように構成することができる。その後、パッチを、潰瘍、びらんまたは任意タイプの傷もしくはかびが感染した指または足指の爪のような感染外肢のような感染領域に適用することができる。ナイスタチン、ロトリマン、クロトリマゾールのような抗真菌剤をパッチに取り込むことが可能である。パッチまたは包帯は最適の反応を得るために必要に応じて種々の時間の間放置し再適用することができる。幾つかの使用例では、パッチを毎日２回乃至毎週２回、２０分乃至９０分の持続時間の間適用することができる。幾つかの例では、パッチを９０分かそれ以上の間適用する。幾つかの実施例は、歯の白色化部分および前癌及び癌部分で上述したエネルギー及び光強度特性を含む。
【００８６】
潰瘍及びただれ
治療を必要とする外傷の別の例として、褥瘡性潰瘍、圧力性潰瘍または床ずれがある。これらの傷は微生物による感染により悪化し、治癒が遅れる。このような傷の感染は光エネルギーに弱く、発光パッチまたは包帯を感染領域上またはその上方もしくはそれに隣接して適用することにより治癒することができる。
【００８７】
１つの実施例において、上述したパッチを治療に用いることができる。かかるパッチは紫外光、または青色光、赤色光及び／または黄色光のような可視光単独、またはそれらの組み合わせを発生するように構成可能である。幾つかの使用例では、パッチを毎日２回乃至毎週２回、２０分乃至９０分の持続時間の間適用することができる。幾つかの例では、パッチを９０分かそれ以上の間適用する。幾つかの実施例は、歯の白色化部分および前癌及び癌部分で上述したエネルギー及び光強度特性を含む。
【００８８】
はん痕及び刺青の治療
皮膚の上のはん痕及び刺青は、光エネルギーによる治療が可能である。この実施例に述べるパッチ及び包帯を、病変箇所の上に、その上方にまたはそれに隣接して適用すると有益な効果が得られる光エネルギーを発生するように構成可能である。１つの実施例において、上述したパッチを治療に用いることができる。かかるパッチは紫外光、または青色光、赤色光及び／または黄色光のような可視光単独、またはそれらの組み合わせを発生するように構成可能である。幾つかの使用例では、パッチを毎日２回乃至毎週２回、２０分乃至９０分の持続時間の間適用することができる。幾つかの例では、パッチを９０分かそれ以上の間適用する。幾つかの実施例は、歯の白色化部分および前癌及び癌部分で上述したエネルギー及び光強度特性を含む。
【００８９】
他の例
１またはそれ以上の実施例において、自然界に存在する光増感作用を有する油を上述した１またはそれ以上の発光デバイスと共に用いることができる。幾つかの例として、レモン、オレンジ、マンダリン、アムミビスナガ、アンゲリカアルカンゲリカの種、メリッサオフィシナリス、シナモンカッシア、シナモンベラムの葉及び樹皮がある。自然界に存在する他の柑橘油も用いることができる。自然界に存在する光増感剤を、にきび、ＡＫ，光による損傷の防止、脱毛及び乾癬のような病変の治療に用いることができる。
【００９０】
種々の実施例において、本発明のシステムは、皮膚または葉のような身体の部位を治療するために人間または動物の身体の外表面に固着するかそれに隣接してまたはその上方に保持することができるパッチまたは包帯もしくはフェイスマスクのような容器に治療用光エネルギーを取り込む思想を提供する。光は特定の波長及びエネルギーパルス持続時間を持つように特定し、特に治療を必要とする領域に向けることができる。光容器は、活性局所施用剤、薬物送達機構を含むように構成することが可能であり、治療効果を増すために電気及び熱エネルギーを調整する能力を有する。例えば、パッチおよびデバイスは電流を発生するために異なる極性の材料を用いることができる。他の例では、デバイスに電極を組み込み、内部または外部のエネルギーを供給して電流を組織に送ることができる。
【００９１】
本発明のシステムは、体の外表面に接着するかそれに隣接して配置可能な、光エネルギーを放出する容器を作成するプロセスを包含する。このシステムは、パッチまたは包帯の形を有する部材と、特定の波長、強度及び露光時間を有する光源とを含む。種々の実施例において、光源は低温光デバイスより成る光源、化学発光物質より成る光源、エレクトロルミネッセンス物質より成る光源、発光ダイオードより成る光源、及び発光ポリマーより成る光源を含むことができる。光源は全体的に自蔵型にするか、または外部電源に接続することができる。パッチまたは包帯は、皮膚または歯の治療領域に固着するか、適用するか、またはそれに隣接して配置するように構成することが可能であり、ヒドロコロイド包帯剤、可撓性接着剤、成形可能ポリマー材料または可撓性撥水剤を含むことができる。
【００９２】
１つの局面では、光及び反射光を治療表面に向けるような反射表面を有する包帯またはパッチが提供される。１つの曲面では、光による治療効果を増すために他の局所施用剤を含む包帯またはパッチが提供される。１つの曲面では、局所施用剤を治療領域内に駆動するための局所施用剤送達システムを含む包帯またはパッチが提供される。
【００９３】
包帯またはパッチは、製品を治療領域内に駆動するかまたは光エネルギーの治療効果を高められる電気または熱エネルギーを発生することにより、治療領域に影響を与える電界を発生する能力を具備することができる。包帯またはパッチは、光エネルギーの治療効果を高めるために高温または低温反応のような熱反応を発生させる能力を具備することができる。
【００９４】
１つの局面では、歯の白色化または清浄化のための歯科トレイとして用いることができるように特定の形状に特別に成形可能な歯磨きが提供される。
【００９５】
１つの局面では、接着剤、ストラップ、タイまたは任意タイプの結合材により適用可能なパッチまたは包帯が提供される。
【００９６】
本願で用いる波長は、赤色光は７８０−６２２ｎｍ、オレンジ色光は６２２−５９７ｎｍ、黄色光は５９７−５７７ｎｍ、緑色光は５７７−４９２ｎｍ、青色光は４９２−４５５ｎｍ、紫色光は４５５−３９０ｎｍである。
【００９７】
上記説明は例示であって限定的なものでないことを理解されたい。他の多くの実施例は上記説明を読めば当業者に明らかになるであろう。従って、本発明の範囲は頭書の特許請求の範囲とかかる請求の範囲が享受する均等物の全範囲とを検討して決定すべきである。
【図面の簡単な説明】
【００９８】
【図１】１つの実施例による発光システムの斜視図である。
【図２】１つの実施例による発光システムの斜視図である。
【図３】１つの実施例による歯科トレイ発光デバイスを示す。
【図４】１つの実施例に従って適用される一対の歯科トレイを示す。
【図５】１つの実施例による発光パッチを示す。
【図６】１つの実施例に従って１またはそれ以上の顔面領域に適用される発光パッチを示す。
【図７】１つの実施例に従って望ましくないヘアを除去する発光パッチを示す。
【図８】１つの実施例による発光フェイスマスクの正面図である。
【図９】図８の発光フェイスマスクの斜視図である。
【図１０】１つの実施例による発光パッチの側面図である。
【図１１】１つの実施例による複数の発光パッチの側面図である。
【図１２】１つの実施例による発光パッチの平面図である。
【図１３】１つの実施例による発光パッチの側面図である。
【図１】
2005520606.tif 000004
【図２】
2005520606.tif 000005
【図３】
2005520606.tif 000006
【図４】
2005520606.tif 000007
【図５】
2005520606.tif 000008
【図６】
2005520606.tif 000009
【図７】
2005520606.tif 000010
【図８】
2005520606.tif 000011
【図９】
2005520606.tif 000012
【図１０】
2005520606.tif 000013
【図１１】
2005520606.tif 000014
【図１２】
2005520606.tif 000015
【図１３】
2005520606.tif 000016